(57)【要約】【課題】吊下げ陳列に用いられる商品陳列具を、強度を確保するとともに、簡易な構成で提供する。【解決手段】上面及び前面が開放された箱体２と、この箱体２の背板２１に添設され、背板２１と略同一高さの中空の四角柱からなる補強部材３と、背板２１及び補強部材３の上端縁に取り付けられるハンガーロッド４と、からなる。また、箱体２、補強部材３及びハンガーロッド４は、それぞれ取り付け・取り外し自在に形成され、箱体２は、展開・組立て自在に形成される。【選択図】図１
2004016643.tif 000002
【特許請求の範囲】
【請求項１】
上面及び前面が開放された箱体と、この箱体の背板に添設され、背板と略同一高さの中空の四角柱からなる補強部材と、背板及び補強部材の上端縁に取り付けられるハンガーロッドと、からなることを特徴とする商品陳列具。
【請求項２】
前記箱体、補強部材及びハンガーロッドは、それぞれ取り付け・取り外し自在に形成され、箱体は、展開・組立て自在に形成されたことを特徴とする請求項１記載の商品陳列具。
【発明の詳細な説明】
【０００１】
【発明の属する技術分野】
本発明は、吊下げ陳列に用いられる商品陳列具に関する。
【０００２】
【従来の技術】
近年、市場には、多種多様な商品が出回っており、また、日々新しい商品が提供されている。かかる環境のもと、商品の提供者は、自社商品を、迅速に商店に陳列することを希望するものである。
【０００３】
しかし、商店においては、商品を陳列するスペースが限られていることから、例えば、新商品が提供されても、商品配置を直ちに変更して、新たに商品を陳列するのは困難である。また、吊下げ陳列においては、ハンガーロッドが必要であるために、単に空きスペースがあるというだけでは、商品を陳列することができない。
【０００４】
そこで、商品配置を変更しなくても、レジカウンターの空きスペースや、空いた棚などに、一時的に商品を吊下げ陳列することができる簡易な商品陳列具が、従来から提案されている。
【０００５】
例えば、図９に示すように、上面及び前面が開放され、厚紙で形成された箱体５と、この箱体５の背板５１の上端縁に取り付けられ、商品を吊下げるハンガーロッド６と、からなるものが一般的に知られている。
【０００６】
【発明が解決しようとする課題】
しかしながら、上記した商品陳列具の場合、ハンガーロッド６が、箱体５の背板５１の上端縁に片持状に取り付けられているため、商品を吊下げることによってハンガーロッド６に生じたモーメントが、背板５１の上端縁のハンガーロッド６が取り付けられた１点に集中してかかる。
【０００７】
一方、箱体５は厚紙で形成されているため、厚紙程度の強度では、かかるモーメントの力に耐えられず、背板５１が撓んでしまう。その結果、ハンガーロッド６が傾斜して、ハンガーロッド６に吊下げた商品が、箱体の底面５２に接触したり、商品がハンガーロッド６から外れるといった不都合が生じていた。
【０００８】
本発明は、このような問題点に鑑みてなされたもので、吊下げ陳列に用いられる商品陳列具を、強度を確保するとともに、簡易な構成で提供するものである。
【０００９】
【課題を解決するための手段】
上記の目的を達成するため、本発明は、上面及び前面が開放された箱体と、この箱体の背板に添設され、背板と略同一高さの中空の四角柱からなる補強部材と、背板及び補強部材の上端縁に取り付けられるハンガーロッドと、からなることを特徴とする。
【００１０】
この発明によれば、箱体の背板に補強部材が添設されるので、背板と補強部材の背面が突き合わされることにより、背板が補強される。また、ハンガーロッドが箱体の背板及び補強部材の上端縁に取り付けられるので、ハンガーロッドが背板と補強部材とによって支持される。したがって、商品が吊下げられることによってハンガーロッドに生じたモーメントが箱体の背板及び補強部材の背面に分散されるので、背板にかかるモーメントが軽減され、背板が撓みにくい。
【００１１】
また、本発明は、上記構成の商品陳列具において、前記箱体、補強部材及びハンガーロッドは、それぞれ取り付け・取り外し自在に形成され、箱体は、展開・組立て自在に形成されたことを特徴とする。
【００１２】
この発明によれば、商品陳列具の不使用時には、箱体、補強部材及びハンガーロッドをそれぞれ取り外すとともに、箱体を展開して平板状にすることができ、僅かな収納スペースで保管することができる。また、使用時には、簡単に組み立てることができる。
【００１３】
【発明の実施の形態】
以下、本発明の実施の形態について図を参照して説明する。
【００１４】
図１は、本発明に係る商品陳列具１の一実施形態を示す斜視図、図２は、商品陳列具１の箱体２の展開図、図３は、商品陳列具１の分解斜視図、図４は、ハンガーロッド４の取付部分の拡大端面図、図５は、商品陳列具１に商品を陳列した状態を示す斜視図、図６は、商品陳列具１の使用方法の一例を示す図、図７は、商品陳列具１の箱体２の折り畳み手順を示す図、図８は、商品陳列具１の補強部材３及び箱体２を折り畳んだ状態を示す図である。
【００１５】
本発明に係る商品陳列具１は、箱体２と、補強部材３と、ハンガーロッド４と、から構成される。以下、順次上記の各構成部分について説明する。
【００１６】
箱体２は、上面及び前面が開放されており、底板２２と、この底板２２に連設して立ち上げられた背板２１、及び左右の側板２３，２３と、からなっている。また、箱体２は、厚紙で形成されており、展開・組立て自在にされている。箱体２の展開図の一例を、図２に示している。この箱体２の側板２３，２３の各下端縁には、取付片２４，２４が折り目ａを介してそれぞれ連設されており、この取付片２４，２４を底板２２に取り付けて箱体２を組み立てることができる。例えば、互いに付着する面ファスナー２４ａ，２４ｂを取付片２４，２４と、この取付片２４，２４に対応する位置の底板２２に取り付けることにより、側板２３，２３と底板２２とを付着させ、箱体２を組み立てる（図２（ａ）参照）。また、取付片２４，２４に切欠を形成するとともに、この切欠と係合する切欠を底板２２にも形成し、これらの切欠を係合するようにしてもよい（図２（ｂ）参照）。
【００１７】
補強部材３は、箱体２の背板２１に添設して箱体２を補強するものである。この補強部材３は、背板２１に突き合わされる背面３１と、背面３１に連なる細幅の左右の側面３３，３３と、側面３３，３３に連なる前面３２とからなる中空の四角柱であって、箱体２の背板２１と背面３１とは同一高さに設定されている。また、補強部材３は、箱体２に取り付け・取り外し自在になされている。
【００１８】
なお、補強部材３の背面３１と前面３２の幅は、箱体２の両側板２３，２３の内面間隔と同一に設定されているが、この内面間隔よりも、短いものであってもよい。さらに、補強部材３の前面３２の高さは、背面３１の高さよりも若干低く設定されており、ハンガーロッド４のロッド部４０を支えている。
【００１９】
ハンガーロッド４は、背板２１及び補強部材３にわたって取り付けられ、陳列する商品を吊下げるものである。このハンガーロッド４は、棒状のロッド部４０の一端にフック部４１を設けて形成され、ロッド部４０の他端が若干上方に折り曲げられている。また、ハンガーロッド４のフック部４１は、箱体２の背板２１の厚みと補強部材３の背面３１との厚みの和に相当する内面間隔を有している。
【００２０】
次に、商品陳列具１の使用方法を説明する。
【００２１】
平板状に展開されている箱体２を組み立てる場合は、まず、底板２２と背板２１の境界線を折り曲げるとともに、両側板２３，２３と背板２１との境界線を折り曲げ、それぞれの板が互いに９０度の角度をなすように立ち上げる。
【００２２】
次に、側板２３，２３に連設されている取付片２４，２４の折り目ａを折り曲げて、取付片２４を底板２２に取り付ける。
【００２３】
このようにして組み立てた箱体２の背板２１に、補強部材３の背面３１が突き合わされるように、補強部材３を添設する（図３参照）。
【００２４】
次に、背板２１及び補強部材３の背面３１の上端縁に、ハンガーロッド４のフック部４１を差し込んで取り付ける（図３及び図４参照）。
【００２５】
続いて、商品をハンガーロッド４に吊下げて（図５参照）、この商品陳列具１を、商店のレジカウンターの空きスペースや、空いた棚などに配置する。
【００２６】
なお、図６に示すように、予め、商品をハンガーロッド４に吊下げた状態の商品陳列具１をダンボール箱Ａに収容して、このダンボール箱Ａを輸送し、商店に到着後、ダンボール箱Ａから商品陳列具１を取り出して、直ちに陳列できるようにしてもよい。
【００２７】
商品陳列具１の不使用時には、箱体２からハンガーロッド４及び補強部材３を取り外し、箱体２を折り畳む。
【００２８】
箱体２を折り畳む場合は、まず、取付片２４，２４を底板２２から取り外して、箱体２を平板状にする（図７（ａ）参照）。次に、底板２２を背板２１に接するまで折り曲げるとともに、取付片２４，２４を側板２３，２３に接するまで折り曲げ（図７（ｂ）参照）、さらに、両側板２３，２３を互いに接するまで折り曲げる（図７（ｃ）参照）。このように折り畳むことにより、僅かな収納スペースで保管することができる。さらに、補強部材３は、中空の四角柱であるから、背面３１と前面３２とが接するように折り畳むことができるので、折り畳んだ箱体２と重ねて収納することもできる（図８参照）。
【００２９】
【発明の効果】
以上に説明したとおり、本発明の商品陳列具によれば、吊下げ陳列に用いられる商品陳列具を、強度を確保するとともに、簡易な構成で提供することができる。
【図面の簡単な説明】
【図１】本発明に係る商品陳列具の一実施形態を示す斜視図である。
【図２】商品陳列具の箱体の展開図である。
【図３】商品陳列具の分解斜視図である。
【図４】ハンガーロッドの取付部分の拡大端面図である。
【図５】商品陳列具に商品を陳列した状態を示す斜視図である。
【図６】商品陳列具の使用方法の一例を示す図である。
【図７】商品陳列具の箱体の折り畳み手順を示す図である。
【図８】商品陳列具の補強部材及び箱体を折り畳んだ状態を示す図である。
【図９】従来の商品陳列具の概観を示す斜視図である。
【符号の説明】
１　　商品陳列具
２　　箱体
２１背板
３　　補強部材
４　　ハンガーロッド
【図１】
2004016643.tif 000003
【図２】
2004016643.tif 000004
【図３】
2004016643.tif 000005
【図４】
2004016643.tif 000006
【図５】
2004016643.tif 000007
【図６】
2004016643.tif 000008
【図７】
2004016643.tif 000009
【図８】
2004016643.tif 000010
【図９】
2004016643.tif 000011